(57)【要約】一態様において、本発明は、電気コネクタアセンブリに用いられるキャリアに関する。このキャリアは、ハウジングと、クリップ及び交差クリップの組み合わせのような、終端ケーブルアセンブリを管理し、及びキャリアに固定する手段と、ヘッダをハウジングに固定する手段とを備える。キャリアは、制御されたインピーダンスを提供すると共に、交換が必要な場合に、ヘッダ及び終端ケーブルアセンブリに対して迅速且つ容易にアクセスすることができる。
2006510183.tif 000002
【特許請求の範囲】
【請求項１】
電気コネクタアセンブリで使用されるキャリアであって、
（ａ）前側垂直壁、横方向に伸びる頂部及び底部壁、少なくとも一つのラッチ、及び前記頂部壁及び前記底部壁の少なくとも一方に設けられた少なくとも１組のキャリアクリップ孔を有する絶縁ハウジングと、
（ｂ）背部から伸びる複数のリブを有し、前記リブが前記ハウジング内の前記キャリアクリップ孔と噛合するように前記ハウジング内に配置される少なくとも一つのクリップとを備え、
前記前側垂直壁は、行列状のブレード挿入口の間に設けられた複数のピン挿入口を含むと共に、内面及び外面を有するキャリア。
【請求項２】
少なくとも一つの端部、及び複数のリブを有する少なくとも一つの交差クリップをさらに備え、前記交差クリップの前記端部は、少なくとも一つの干渉肩部及び少なくとも一つの相互係着口を有し、前記交差クリップは、前記干渉肩部が前記ハウジングの前記頂部及び底部壁の少なくとも一つに支承されるように前記ハウジング内に配置される、請求項１に記載のキャリア。
【請求項３】
電気コネクタアセンブリであって、
（ａ）請求項１又は２に記載のキャリアと、
（ｂ）終端装置に取り付けられた電気ケーブルを備える複数の終端ケーブルアセンブリとを備え、
前記終端装置は、その頂部面に設けられたグラウンドコンタクトビーム、前面、及び前記終端ケーブルアセンブリの長手軸に平行な少なくとも一つの雌コンタクトを有し、
前記終端ケーブルアセンブリは、前記終端装置の前面が前記ハウジングの内面に接触するように前記キャリア内に配置される、電気コネクタアセンブリ。
【請求項４】
ヘッダを備え、前記ヘッダは、
（ａ）内面及び外面を有する前側垂直壁と、
（ｂ）行列状のグラウンドブレードの間に設けられた信号ピンの配列であって、前記信号ピン及びグラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記グラウンドコンタクトを前記終端装置に接触させるように前記キャリア内に配置される、請求項３に記載の電気コネクタアセンブリ。
【請求項５】
前記キャリアを前記ヘッダに固定する手段をさらに備える、請求項４に記載の電気的コネクタアセンブリ。
【請求項６】
前記固定する手段は、前記キャリアのハウジングの頂部壁又は底部壁の少なくとも一方に設けられたラッチ装置と、前記ヘッダの頂部壁及び底部壁の少なくとも一方に設けられた保持クリップとを備える、請求項５に記載の電気コネクタアセンブリ。
【請求項７】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに備え、
前記プリント回路基板、コネクタモジュール、ソケット、ヘッダ、キャリア、及び終端ケーブルアセンブリが電気的に接続されている、請求項６に記載の電気コネクタアセンブリ。
【請求項８】
電気コネクタアセンブリであって、
（ａ）請求項１又は２に記載のキャリアと、
（ｂ）終端装置に取り付けられた電気ケーブルを備える複数の終端ケーブルアセンブリとを備え、
前記終端装置は、前面、及び前記終端ケーブルアセンブリの長手軸に平行な少なくとも一つの雌コンタクトを有し、
前記終端ケーブルアセンブリは、前記終端装置の前面が前記ハウジングの内面に接触するように前記キャリア内に配されている電気コネクタアセンブリ。
【請求項９】
ヘッダを備え、前記ヘッダは、
（ａ）内面及び外面を有する前側垂直壁と、
（ｂ）行列状のグラウンドブレードの間に設けられた信号ピンの配列であって、前記信号ピン及び前記グラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記終端装置に接触させるように前記キャリア内に配置される請求項８に記載の電気コネクタアセンブリ。
【請求項１０】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに備え、
前記プリント回路基板、コネクタモジュール、ソケット、ヘッダ、キャリア、及び終端ケーブルアセンブリが電気的に接続されている請求項９に記載の電気コネクタアセンブリ。
【請求項１１】
ヘッダを備え、前記ヘッダは、
（ａ）内面及び外面を有する前側垂直壁と、
（ｂ）行列状のグラウンドブレードの間に設けられた信号ピンの配列であって、前記信号ピン及びグラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記グラウンドコンタクトを前記終端装置に接触させるように前記キャリア内に配置される請求項３に記載の電気コネクタアセンブリ。
【請求項１２】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに
備え、
前記プリント回路基板、コネクタモジュール、ソケット、ヘッダ、キャリア、及び終端ケーブルアセンブリが電気的に接続されている請求項１１に記載の電気コネクタアセンブリ。
【請求項１３】
電気コネクタアセンブリで使用されるキャリアであって、
（ａ）前側垂直壁、横方向に伸びる頂部壁及び底部壁、少なくとも一つのラッチ、及び前記頂部壁及び前記底部壁の少なくとも一方に設けられた少なくとも１組のキャリアクリップ孔を有する絶縁ハウジングであって、前記前側垂直壁は、行列状のブレード挿入口の間に設けられた複数のピン挿入口を含むと共に内面及び外面を有する、絶縁ハウジングと、
（ｂ）終端ケーブルアセンブリを固定する手段と、
（ｃ）ヘッダを前記ハウジングに固定する手段と
を備える、キャリア。
【請求項１４】
前記終端ケーブルアセンブリを管理する手段をさらに備える、請求項１３に記載のキャリア。
【発明の詳細な説明】
【技術分野】
【０００１】
本発明は、高速コネクタに関する。特に、本発明は、制御されたインピーダンスを提供すると共に、部品の交換を迅速且つ容易に行うことができるコネクタに関する。
【背景技術】
【０００２】
当技術分野において、集積回路と他の回路基板、ケーブル又は電子装置との相互配線が知られている。特に、相互配線又はプリント回路基板の導電体を介して信号が伝搬するのに要する時間の長さと比較して回路の切り替え速度（信号伝達時間ともいう）が遅いときは、通常、上記のような相互配線を形成するのが困難であった。最新の集積回路及び関連するコンピュータ技術によって、信号送信時間が増加し続けるので、十分に機能し得る相互配線の設計及び製造がさらに困難になって来た。
【０００３】
信号の整合性を十分に制御するために厳密に制御された電気的特性をもつ電気的相互配線を設計及び製造する必要性が高まっている。電気的特性（インピーダンスのような）を制御する程度は回路の切り替え速度に依存する。すなわち、回路の切り替え速度が速いほど、相互配線内でインピーダンスを正確に制御することの重要性が増大する。
【発明の開示】
【発明が解決しようとする課題】
【０００４】
高速回路、すなわち、送信周波数が少なくとも５ＧＨｚの回路に必要なインピーダンスを制御するコネクタが開発されてきた。これらのコネクタの多くが有用であるが、当該技術分野では、未だに、部品を容易に交換することができる様々で且つさらに経済的なコネクタに対する要求がある。
【課題を解決するための手段】
【０００５】
本発明は、信号及び接地の完全な状態を維持すると共に、部品を交換したり、様々な部品を修正又はアップグレードすべく迅速且つ容易な組み立て及び分解を可能にするために、制御されたインピーダンスを提供するように設計されたコネクタアセンブリに関する。このように、本発明は、アセンブリ全体を交換するのに代えて、コネクタアセンブリにおける選択された部品のみを交換する必要があるという点で消費者に経済的な効果を提供する。
【０００６】
一態様において、本発明は、電気コネクタアセンブリに用いられるキャリアを提供する。このキャリアは、絶縁ハウジングと、終端ケーブルアセンブリを固定する手段とを備える。場合によっては、キャリアは、さらに、終端ケーブルアセンブリを管理する手段を備える。一つの典型的な実施形態において、終端ケーブルアセンブリを固定する手段、及び管理する手段が一体化されている。ハウジングは、前側垂直壁と、横方向に伸びる頂部壁及び底部壁と、頂部壁及び底部壁の少なくとも一方に設けられた少なくとも１組のキャリアクリップ孔と、ヘッダをハウジングに固定する手段とを含む。
【０００７】
他の態様において、本発明は、電気コネクタアセンブリに用いられる他のキャリアを提供する。キャリアは、前側垂直壁、及び横方向に伸びる頂部壁及び底部壁を有する絶縁ハウジングを備える。前側垂直壁は、内面及び外面を有する。ハウジングは、また、少なくとも一つのラッチと、少なくとも１組のキャリアクリップ孔とを有し、これらの双方は、頂部壁及び底部壁の少なくとも一方に設けられている。キャリアは、さらに、背部、及び背部から伸びる複数のリブを有する少なくとも一つのクリップを備える。クリップは、リブがハウジング内のキャリアクリップ孔に噛合するようにハウジング内に設けられている。他の典型的な実施形態では、キャリアは、さらに、少なくとも一つの干渉肩部及び複数のオーガナイザー（ｏｒｇａｎｉｚｅｒ）を有する少なくとも一つの交差クリップを備える。交差クリップは、干渉肩部がハウジングの頂部壁及び底部壁の少なくとも一方に支承されるようにハウジング内に設けられている。
【０００８】
以下に詳細に述べるように、複数の信号ピン及びグラウンドブレードを有するヘッダは、損傷を受け易い傾向にある。ヘッダが損傷を受けたり、アップグレードや修正の必要がある場合は、コネクタアセンブリは、ヘッダ交換を可能とするために迅速に分解してもよい。そして、コネクタアセンブリは、所望であれば、シールドされた電気ケーブルの交換を迅速且つ容易に行うことができるように設計される。
【０００９】
本発明の上記要旨は、本発明の開示された各々の実施形態又はすべての手段を記載することを意図するものではない。以下に続く図面及び詳細な説明は、説明的な実施形態を特に例示している。
【００１０】
以下で用いる図面は、理想的化されていて縮尺に従って描かれておらず、あくまでも説明を目的としている。
【発明を実施するための最良の形態】
【００１１】
図１は、ハウジング１０、及び終端ケーブルアセンブリを固定且つ管理する手段を有するキャリア２の一実施形態を示す。このキャリア２は、終端ケーブルアセンブリの整列をそれらのもつれが最小になるように保持且つ維持するのに用いられる機械的装置であり得る。図１は、クリップ４及び交差クリップ６を含む終端ケーブルアセンブリを固定且つ管理する一つの手段を示す。キャリアは、射出成形のような従来の手段によって作製することができる。
【００１２】
図２Ａ及び図２Ｂは、絶縁材で作製されたハウジングの等角図を示す。ハウジング１０は、内面１２ａ及び外面１２ｂを有するほぼ垂直に伸びる前壁１２を含む。前壁は、行列状に配列された複数のピン挿入口１２ｃを含むように形成されている。ピン挿入口の間には、内面１２ａ上に設けられたブレード挿入口１２ｄ及び支持体１２ｅがある。終端ケーブルアセンブリの整列を目的とした支持体について以下に述べる。ハウジングは、また、夫々、横方向に伸びる一対の頂部壁１４及び底部壁１６を含み、各壁は、場合によっては、一連のガイド１４ａ及び１６ａを有する。ガイド１８ａを有する側壁１８も、また、ハウジングの部分を形成する。横方向に伸びる頂部壁及び底部壁の少なくとも一方には、終端ケーブルアセンブリを固定且つ管理する手段を収容するために複数のキャリアクリップ孔２０がある。また、頂部壁及び底部壁の少なくとも一方にヘッダを固定する手段が設けられている。図２Ａに示すように、ヘッダをハウジングに固定する一つの手段は、ラッチ装置２２である。この装置は、すなわち、噛合する機械的部品がヘッダをハウジングに固定するが、通常は係止していない。
【００１３】
図３Ａ及び図３Ｂは、中に取り付けられた終端ケーブルアセンブリ３０を有するキャリアの異なる二つの図を示す。これらの図は、終端ケーブルアセンブリ（すなわち、クリップ４と交差クリップ６の組み合わせ）を固定する手段及び管理する手段がハウジング１０と協働してどのように機能するかを最もよく示している。クリップは、背部４ａから横方向に伸びる複数のリブ４ｂと、端部リブ上の任意のスナップ機構４ｃと、ハウジング１０に設けられたキャリアクリップ孔２０に対してクリップを組み立てたり分解したりするのを助けるために背部の少なくとも一方の側の任意の指状のタブ４ｄとを有する。一実施形態では、リブ４ｂの数は孔２０の数と一致している。ただし、リブの数が孔と異なる場合、例えば孔より少ない場合も本発明の範囲内である。一実施形態において、スナップ機構４ｃが用いられる場合は、背部４ａからリブ４ｂの端部までの測定されたクリップの長さは、頂部壁１４から底部壁１６までのハウジングの長さと同じぐらいであり、クリップが孔２０を介してハウジングの頂部壁１４に取り付けられるときに、スナップ機構４ｃは、底部壁１６までに達する。クリップは、典型的には、絶縁材の一体成型片である。
【００１４】
交差クリップ６は、複数のオーガナイザー６ｂ、及び少なくとも一つの端部６ｃを含む。端部６ｃには、干渉肩部６ｄ、及び、場合によっては、複数の相互係着口６ｅが設置されている。二つの端部６ｃが用いられているときは、第２の端部は、干渉肩部又は相互係着口を含んでもよく、含まなくてもよい。一端から他端までの、又は、二つの端部が用いられているときは、一端から最後のオーガナイザーまでの測定された交差クリップの幅は、ハウジングの頂部壁１４から底部壁１６の距離とほぼ同じである。
【００１５】
図３Ｂに示すように、交差クリップは、端部６ｃの干渉肩部６ｄがハウジングの頂部壁１４に当接するまで終端ケーブルアセンブリ３０上を摺動する。この場合、リブ６ｂは、列３０ａ、３０ｂ、３０ｃ、３０ｄを互いに分離し、用いられているならば、相互係着口は、ハウジング１０上のキャリアクリップ孔２０と整列する。二つの端部６ｃが用いられているときは、第２の端部の干渉肩部は、ハウジングの底部壁１６と当接する。交差クリップは、一旦、干渉壁部が頂部壁又は底部壁の少なくとも一方に突き当たるように取り付けられると、クリップ４は、次いで、リブ４ｂがハウジング上の孔２０の中に摺動すると共に、クリップの背部４ａが頂部壁１４上に支承されるように設置される。二つのクリップが用いられているときは、第２のクリップは、ハウジングの底部壁１６に支承される。クリップは、孔２０の中に摺動するとき、また、交差クリップ上の相互係着口６ｅ（用いられているとき）の中に摺動し、交差クリップを適所に保持することができる。クリップにおける四つの内部リブ４（すなわち、二つの端部リブを除く）の各々は、終端ケーブルアセンブリの行３０ｖ、３０ｗ、３０ｘ、３０ｙ、及び３０ｚを分離する。図３Ｂは、終端ケーブルアセンブリの５列及び５行の配列を示すが、任意の行数及び列数が使用され得、行及び列の指定は任意、すなわち、行は列であり得る。この設計によれば、ユーザは、クリップ４及び交差クリップ６を取り除いて、次いで、個々のケーブルを取り除くことにより、終端ケーブルアセンブリを容易に交換することができる。
【００１６】
図４は、キャリアと協働して用いることができる終端ケーブルアセンブリの典型的な一実施形態を示す。終端ケーブルアセンブリ３０は、各終端装置３４が、以下に述べるように、ヘッダのグラウンドブレードに電気的に接触する頂部面３４ｂ上の接点ビーム３６を含むことを除いて、設計が従来のものである。電気ケーブル３２は、はんだ用開口３８を用いて終端装置３４に取り付けられている。本発明で使用される電気ケーブルのタイプは、単一のワイヤケーブル（例えば、単一の同軸又は単一の二軸）又は多線ケーブル（例えば、多線同軸、多線二軸、又はツイストペアケーブル）であり得る。使用中は、終端ケーブルアセンブリは、終端装置３４の前面３４ａがハウジング１０の前側垂直壁の内面１２ａに当接するようにハウジング１０の中に挿入される。雌コンタクト４０は、終端装置の長手軸に沿っており、ハウジングの前側垂直壁のピン挿入口１２ａと整列している。このように、終端装置の部分が支持体１２ｄに支承される。頂部壁ガイド１４ａ及び底部壁ガイド１６ａは、また、行における最初及び最後の終端装置の位置決めを助ける。
【００１７】
図５は、本発明で使用することができる典型的なピンヘッダ６０を示す。ヘッダは、内面６２ａ及び外面６２ｂを有し、夫々、頂部壁６４及び底部壁６６を横方向に伸ばす垂直前壁６２を含む。垂直前壁は、信号ピン７０に対しては複数のピン挿入ウィンドウを、グラウンドブレード６８に対しては複数のブレード挿入ウィンドウを含むように形成されている。使用中は、ヘッダは、信号ピン７０及びグラウンドブレード６８が、夫々、ピン挿入口１２ｃ及びブレード挿入孔１２ｄを介して摺動して終端ケーブルアセンブリの雌コンタクト４０及びグラウンドコンタクト３６と噛み合わせるために、ヘッダの外面６２ｂがハウジングの外面１２ｂに接触するようにキャリア２と噛合する。本発明で使用することができる他の有用なピンヘッダは、米国特許第６，１４６，２０２号明細書（ラメイら）に開示されており、本明細書では、そのすべてについて参照により組み込まれる。
【００１８】
図４は、終端装置３４が接点ビーム３６を含むこと示しているが、接点ビームをヘッダ内のグラウンドブレード６８又は終端装置３４及びグラウンドブレード６８の双方に配することは、本発明の範囲内である。
【００１９】
図６は、プリント回路基板（ＰＣＢ）８０と協働して用いられる部分的に組み立てられた高速コネクタを示す。そこに示されているように、終端ケーブルアセンブリ３０は、キャリアの一方の側に取り付けられ、ヘッダ６０は他方の側に取り付けられている。ヘッダは、さらに、ヘッドをキャリアに固定する手段を含む。この特別な実施形態では、固定する手段は、タブ７２ａ及びクリップ端部７２ｂを有する保持クリップ７２である。使用中は、保持クリップのタブ７２ａは、ハウジング１０上のラッチ装置２２の下で摺動して、ヘッダをキャリアに保持する。
【００２０】
他の実施形態では、ヘッダを（終端ケーブルアセンブリが取り付けられた）キャリアに固定する手段は、終端装置にヘッダ内のグラウンドブレード間の十分に高い摩擦力を用いている。代案として、又はこの摩擦力に加えて、ヘッダは、ヘッダ内の信号ピンと終端ケーブルアセンブリの雌コンタクトとの間の十分に高い摩擦力を介してキャリアに固定されうる。
【００２１】
ヘッダが損傷するか、又は性能が向上するか若しくは修正される必要がある場合は、そのヘッダは、クリップ端７２ｂを広げ、現状のヘッダを取り除き、新しいヘッダを装備することにより交換することができる。このように、本発明は、ヘッダを交換することができる経済的で使い勝手のよい設計を提供する。図６は、ハウジングの頂部壁上のいくつかのラッチ装置２２と協働して使用されるいくつかの保持クリップ７２を示しているが、同様の保持クリップ及びラッチ装置の組み合わせをハウジングの底部壁上で使用することができる。また、図示では、二つであるが、任意の数のヘッダ及びキャリアの組み合わせを共に使用することができる。ＰＣＢ８０上には、ソケット９２に組み立てられている複数のコネクタモジュール９０が取り付けられている。ＰＣＢ、コネクタモジュール、及びソケットは、すべて電気的に互いに接続されている。所望であれば、任意の雄ガイド９４をソケット９２に加えて、ソケットをヘッダ内に案内するのを助けることができる。この場合、ヘッダは相補的な雌ガイド（図示せず）を含む。有用なコネクタモジュール及びソケットは、米国特許第６，１４６，２０２号明細書（ラメイら）に開示されている。当業者が認めるように、電気回路を完成するために、ヘッダ／キャリア／終端ケーブルアセンブリはソケットに噛み合っている。上記は、高速コネクタを組み立てるための特別なシーケンスを説明しているが、当業者は、異なる組み立てシーケンスを使用することができることを認めるだろう。
【図面の簡単な説明】
【００２２】
【図１】本発明の一の態様に係る典型的なキャリアの等角図である。
【図２Ａ】本発明の他の態様に係るキャリアで使用される典型的なハウジングの等角図である。
【図２Ｂ】本発明の他の態様に係るキャリアで使用される典型的なハウジングの等角図である。
【図３Ａ】本発明の他の態様に係る終端ケーブルアセンブリを含むキャリアの等角図である。
【図３Ｂ】本発明の他の態様に係る終端ケーブルアセンブリを含むキャリアの等角図である。
【図４】本発明と協働して用いることができる典型的な終端ケーブルアセンブリの等角図である。
【図５】本発明と協働して用いることができる典型的なヘッダの等角図である。
【図６】部分的に分解した段階にある本発明の他の態様に係る典型的な高速電気コネクタアセンブリの斜視図である。
【図１】
2006510183.tif 000003
2006510183.tif 000004
2006510183.tif 000005
【図４】
2006510183.tif 000006
【図５】
2006510183.tif 000007
【図６】
2006510183.tif 000008
【手続補正書】
【提出日】平成16年10月5日(2004.10.5)
【手続補正１】
【補正対象書類名】特許請求の範囲
【補正対象項目名】全文
【補正方法】変更
【補正の内容】
【特許請求の範囲】
【請求項１】
電気コネクタアセンブリで使用されるキャリアであって、
（ａ）前側垂直壁、横方向に伸びる頂部及び底部壁、少なくとも一つのラッチ、及び前記頂部壁及び前記底部壁の少なくとも一方に設けられた少なくとも１組のキャリアクリップ孔を有する絶縁ハウジングと、
（ｂ）背部から伸びる複数のリブを有し、前記リブが前記ハウジング内の前記キャリアクリップ孔と噛合するように前記ハウジング内に配置される少なくとも一つのクリップとを備え、
前記前側垂直壁は、行列状のブレード挿入口の間に設けられた複数のピン挿入口を含むと共に、内面及び外面を有するキャリア。
【請求項２】
少なくとも一つの端部、及び複数のリブを有する少なくとも一つの交差クリップをさらに備え、前記交差クリップの前記端部は、少なくとも一つの干渉肩部及び少なくとも一つの相互係着口を有し、前記交差クリップは、前記干渉肩部が前記ハウジングの前記頂部及び底部壁の少なくとも一つに支承されるように前記ハウジング内に配置される、請求項１に記載のキャリア。
【請求項３】
電気コネクタアセンブリであって、
（ａ）請求項１又は２に記載のキャリアと、
（ｂ）終端装置に取り付けられた電気ケーブルを備える複数の終端ケーブルアセンブリとを備え、
前記終端装置は、その頂部面に設けられたグラウンドコンタクトビーム、前面、及び前記終端ケーブルアセンブリの長手軸に平行な少なくとも一つの雌コンタクトを有し、
前記終端ケーブルアセンブリは、前記終端装置の前面が前記ハウジングの内面に接触するように前記キャリア内に配置される、電気コネクタアセンブリ。
【請求項４】
ヘッダを備え、前記ヘッダは、
（ａ）内面及び外面を有する前側垂直壁と、
（ｂ）行列状のグラウンドブレードの間に設けられた信号ピンの配列であって、前記信号ピン及びグラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記グラウンドコンタクトを前記終端装置に接触させるように前記キャリア内に配置される、請求項３に記載の電気コネクタアセンブリ。
【請求項５】
前記キャリアを前記ヘッダに固定する手段をさらに備える、請求項４に記載の電気的コネクタアセンブリ。
【請求項６】
前記固定する手段は、前記キャリアのハウジングの頂部壁又は底部壁の少なくとも一方に設けられたラッチ装置と、前記ヘッダの頂部壁及び底部壁の少なくとも一方に設けられた保持クリップとを備える、請求項５に記載の電気コネクタアセンブリ。
【請求項７】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに備え、
前記プリント回路基板、コネクタモジュール、ソケット、ヘッダ、キャリア、及び終端ケーブルアセンブリが電気的に接続されている、請求項６に記載の電気コネクタアセンブリ。
【請求項８】
電気コネクタアセンブリであって、
（ａ）請求項１又は２に記載のキャリアと、
（ｂ）終端装置に取り付けられた電気ケーブルを備える複数の終端ケーブルアセンブリとを備え、
前記終端装置は、前面、及び前記終端ケーブルアセンブリの長手軸に平行な少なくとも一つの雌コンタクトを有し、
前記終端ケーブルアセンブリは、前記終端装置の前面が前記ハウジングの内面に接触するように前記キャリア内に配されている電気コネクタアセンブリ。
【請求項９】
ヘッダを備え、前記ヘッダは、
（ａ）内面及び外面を有する前側垂直壁と、
（ｂ）行列状のグラウンドブレードの間に設けられた信号ピンの配列であって、前記信号ピン及び前記グラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記終端装置に接触させるように前記キャリア内に配置される請求項８に記載の電気コネクタアセンブリ。
【請求項１０】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに備え、
前記プリント回路基板、コネクタモジュール、ソケット、ヘッダ、キャリア、及び終端ケーブルアセンブリが電気的に接続されている請求項９に記載の電気コネクタアセンブリ。
【請求項１１】
ヘッダを備え、前記ヘッダは、
（ａ）内面及び外面を有する前側垂直壁と、
（ｂ）行列状のグラウンドブレードの間に設けられた信号ピンの配列であって、前記信号ピン及びグラウンドブレードが前記前側垂直壁を通って伸びる信号ピンの配列とを備え、
前記ヘッダは、前記ヘッダの外面が前記キャリアの外面に当接し、前記ヘッダ内の信号ピンが前記ハウジングの前側垂直壁を介して前進して前記終端ケーブルアセンブリの雌コンタクトに存在し、前記ヘッダ内のグラウンドブレードが前記ハウジングの前側垂直壁を介して前進して前記グラウンドコンタクトを前記終端装置に接触させるように前記キャリア内に配置される請求項３に記載の電気コネクタアセンブリ。
【請求項１２】
（ａ）前記ヘッダの垂直壁の内面に噛合されたソケットと、
（ｂ）前記ソケットに取り付けられた複数のコネクタモジュールと、
（ｃ）前記コネクタモジュールに取り付けられたプリント回路基板とをさらに
備え、
前記プリント回路基板、コネクタモジュール、ソケット、ヘッダ、キャリア、及び終端ケーブルアセンブリが電気的に接続されている請求項１１に記載の電気コネクタアセンブリ。
【国際調査報告】
2006510183.tif 000009
2006510183.tif 000010